(57)【特許請求の範囲】
【請求項１】
リコイルスタータに設けた波形板状ばね（３２）を内蔵する固定爪（３１）と、リコイルスタータ取付側クランクケース（２０）に軸回転方向及び軸方向に係止可能でかつ回転方向の一端よりリコイルスタータの固定爪（３１）が侵入可能な様に開放された溝部（２１０）と、該溝部の回転方向他端側に前記固定爪が係止される側壁（２１１）を具えた形状にて一体成形されたリコイルスタータ係止用ボス（２１）とを有してなる汎用エンジンの手動始動装置であるリコイルスタータであって、
前記波形板状ばね頂部を固定爪頂部開放部より突出させた状態で、係止用ボスの溝部にリコイルスタータの固定爪を開放された溝部側から挿入して回転方向に回すことにより、前記固定爪頂部より突出している波形板状ばねの頂部が弾性変形しながら前記溝部より係止用ボスに入り、前記固定爪が前記係止用ボスの側壁と前記波形板状ばねの弾性変形による付勢力により係止するように構成したことを特徴とする汎用エンジンのリコイルスタータ取付構造。
【請求項２】
前記波形板状ばねが中央頂部に凹部を有する山形状板ばねであって、該山形板状ばねの岸部（３２ｂ）を固定爪両側壁に位置させるとともに、前記係止用ボスに山形板状ばねの凹部に係合する隆起が設けられていることを特徴とする請求項１記載の汎用エンジンのリコイルスタータ取付構造。
【発明の詳細な説明】
【０００１】
【産業上の利用分野】
本発明は汎用エンジンのリコイルスタータ取付構造に関する。
【０００２】
【従来の技術】
従来例を実公昭６３−４６６９５号公報に示すように図５〜７によって説明する。図５は従来例の刈払機の斜視図、図６は図５の要部の側断面図、図７は従来例の開口部および起動装置の斜視図である。
図においてＡは可搬用エンジン付作業機である刈払機で、刈払機Ａの端部に連設するエンジンＥは従来形構造と同様の構成であるがエンジンＥの外周側となるエンジンカバー３の部分に円形の開口部１を形成し、該開口部１の内方にはファン４や各係合ピン５を有する輪体６をクランク軸７に嵌着して構成する始動部Ｃをのぞませ、開口部１の周囲４箇所には周方向の１方向および中心側に開放する係合溝８ａを有する係合部８をそれぞれ同様に形成して構成する。
【０００３】
Ｂは起動装置全体を示し、リコイルスタータ式の把手９の外周に突設した装置Ｂの側面にはエンジンＥの開口部１に合致できるフランジ１０を形成し、フランジ１０より内方に向けて始動部Ｃの係合ピン５に係合できる係合爪１１′を出没自在にした回転体１１を突設し、フランジ１０の外周４箇所には各係合部８の内方にそれぞれ嵌合でき突起１２を突出形成して構成する。
【０００４】
【発明が解決しようとする課題】
従来例は始動装置であるリコイルスタータの取外しの容易化並びに運転中不要となるリコイルスタータを取外し代りにカバーを取付け可能にすることを特徴としている。これらの対象となる小形可搬式又は携帯式のエンジンにおいては、運転中の振動及び移動、使用時の他物との接触等により部品の外れ脱落を防止するため締結部品であるボルト等による固定が通例で、この従来例ではこれらの問題に対する処理が何らなされて居らず実用性に欠けると云わざるを得ないものである。又ボルト等による固定方式においてはねじ部品の加工の必要性及び組立時の作業性において問題があり合理化の妨げとなるものである。
【０００５】
本発明の目的は前記不具合を解消しボルト等を使用せず組立作業の合理化を計ることが可能で且従来例の如く取外し容易でありながら運転時及び移動時等の振動衝撃に対し強固な保持性をもった汎用エンジンのリコイルスタータ取付構造を提供するにある。
【０００６】
【課題を解決するための手段】
本発明に係る汎用エンジンのリコイルスタータ取付構造はリコイルスタータに設けた波形板状ばね（３２）を内蔵する固定爪（３１）と、リコイルスタータ取付側クランクケース（２０）に軸回転方向及び軸方向に係止可能でかつ回転方向の一端よりリコイルスタータの固定爪（３１）が侵入可能な様に開放された溝部（２１０）と、該溝部の回転方向他端側に前記固定爪が係止される側壁（２１１）を具えた形状にて一体成形されたリコイルスタータ係止用ボス２１とを有してなる汎用エンジンの手動始動装置であるリコイルスタータであって、
前記波形板状ばね頂部を固定爪頂部開放部より突出させた状態で、係止用ボスの溝部にリコイルスタータの固定爪を開放された溝部側から挿入して回転方向に回すことにより、前記固定爪頂部より突出している波形板状ばねの頂部が弾性変形しながら前記溝部より係止用ボスに入り、前記固定爪が前記係止用ボスの側壁と前記波形板状ばねの弾性変形による付勢力により係止するように構成したことを特徴とし、好ましくは前記波形板状ばねが中央頂部に凹部を有する山形板状ばねであって、該山形板状ばねの岸部（３２ｂ）を固定爪両側壁に位置させるとともに、前記係止用ボスに山形板状ばねの凹部に係合する隆起が設けられていることを特徴とする。
【０００７】
【作用】
係止用ボスの溝にリコイルスタータの固定爪２１を開いた方向から挿入して前記リコイルスターターに力を加えて回すと固定爪２１に設けられた波形板状ばね３２が弾性変形して前記溝に入り前記固定爪３１が前記係止用ボス２１の側壁に当って止まり位置がきまり、且がたがなく十分な保持力を保って前記リコイルスタータが組付けられる。前記リコイルスタータを前記と逆向きに力を加えて回すと前記波形板状ばね３２は弾性変形するので前記固定爪３１が前記溝から抜け前記リコイルスタータは取外される。
【０００８】
【実施例】
実施例を図１〜４により説明する。図１は本発明に係る実施例の汎用エンジンのリコイルスタータ取付構造斜視図、図２（ａ）は図１におけるＸ部拡大図、（ｂ）は図２におけるＢ−Ｂ断面図、図３（ａ）は図１におけるＡ−Ａ断面図、（ｂ）は図３におけるＣ−Ｃ断面図、図４は実施例のリコイルスタータ組付状態の図１におけるＡ−Ａ位置の断面図である。図において２０はクランクケース、３０はリコイルスタータで何れも公知のものである。２１は係止用ボスでクランクケース２０に１体に３個設けられている。３１は固定爪でリコイルスタータ３０に係止用ボス２１の間隔と等しい間隔で設けられている。２２はストッパリブで係止用ボス２１の半径方向の１側に設けられた壁である。３２は波形板状ばねで固定爪３１に設けられている。３２ａは波形板状ばねの凹部で波形板状ばね３２の波形の中央部の波の谷である。２１ａはリブで係止用ボス２１の溝内に周方向の中央位置に半径方向に設けられた隆起で波形板状ばねの凹部３２ａに合せてある。Ｐはエンジン回転方向でありリコイルスタータ回転方向である。Ｒは矢印でリコイルスタータを組付時挿入後まわす方向を示す。
【０００９】
更に具体的に説明すると、リコイルスタータ３０外周に設けた複数の固定爪３１は、図２（ａ）（ｂ）に示すように前記波形板状ばね頂部３２ａを固定爪頂部開放部より突出させた状態で波形板状ばね３２を内蔵する固定爪３１で構成され、又前記波形板状ばね３２が中央頂部に凹部３２ａを有する山形板状ばねである。
又、図１（ｂ）及び図３（ａ）（ｂ）に示すように、リコイルスタータ取付側クランクケース２０に前記固定爪と対応する間隔位置に設けられ、一体成形された複数のリコイルスタータ係止用ボス２１は、軸回転方向及び軸方向に係止可能でかつ回転方向の一端よりリコイルスタータの固定爪３１が侵入可能な様に、開放された溝部２１０と、該溝部２１０の回転方向他端側に前記固定爪３１が係止される側壁２１１を具えた形状にて構成されているとともに、その上面内壁に山形板状ばねの凹部に係合する隆起２１ａが設けられている。
【００１０】
前記実施例の作用を説明する。固定爪３１を係止用ボス２１の溝の開いている側に合せ、リコイルスタータ３０を矢印Ｒ方向に回すと前記固定爪頂部より突出している波形板状ばねの頂部が弾性変形しながら前記溝部より固定爪３１が係止用ボス２１の溝にはまり込み、波形板状ばね３２が弾性変形して波形板状ばね３２の波形の山がリブ２１ａを乗り越え波形板状ばねの凹部３２ａがリブ２１ａに嵌合し波形板状ばね３２の弾性力前記固定爪が前記係止用ボスの側壁によりリコイルスタータ３０を係止し且固定爪３１がストッパリブ２２に当接してリコイルスタータが止る。このようにしてリコイルスタータ３０がクランクケース２０に取付けられる。リコイルスタータ３０を前記と逆方向に力を加えて回すと波形板状ばね３２の波形の山が前記力に負けて弾性変形してリブ２１ａを乗り越えリコイルスタータ３０が回り、固定爪３１が係止用ボス２１から抜け出しリコイルスタータ３０はクランクケース２０から外れる。
【００１１】
【発明の効果】
締結部品であるボルト等を使用せずワンタッチでリコイルスタータの取付け取外しを可能とすると共に、運転中の振動及び移動中等の衝撃に対し十分な保持力を持つようにした。ボルトの不要化及び各部品の１体構成により部品数の低減重量軽減組立工数低減が図れる。よって本発明はボルト等を使用せず組立作業の合理化を計ることが可能であり且従来例の如く取外し容易でありながら運転時及び移動時等の振動衝撃に対し強固な保持性をもつ汎用エンジンのリコイルスタータ取付構造を提供できる。
【図面の簡単な説明】
【図１】本発明に係る実施例の汎用エンジンのリコイルスタータ取付構造斜視図。
【図２】（ａ）は図１におけるＸ部拡大図。（ｂ）は図２におけるＢ−Ｂ断面図。
【図３】（ａ）は図１におけるＡ−Ａ断面図。（ｂ）は図３におけるＣ−Ｃ断面図。
【図４】本発明に係る実施例のリコイルスタータ組付け状態の図１におけるＡ−Ａ位置の断面図。
【図５】従来例の刈払機の斜視図。
【図６】従来例の図５の要部断面図。
【図７】従来例の開口部及び起動装置の斜視図。
【符号の説明】
２０…クランクケース、２１…係止用ボス、２２…ストッパリブ、３０…リコイルスタータ、３１…固定爪、３２…波形板状ばね。
【図１】
0003553102.tif 000002
【図２】
0003553102.tif 000003
【図３】
0003553102.tif 000004
【図４】
0003553102.tif 000005
【図５】
0003553102.tif 000006
【図６】
0003553102.tif 000007
【図７】
0003553102.tif 000008